(57)【要約】【課題】立体的で奥行きある空間に物品を展示するディスプレイを提案する。展示物を替えても展示できる汎用性のあるディスプレイを提案する。【解決手段】縁取り部（１１）が浮き上がって奥行きを視認させる３Ｄパネル（１）のその縁取り部（１１）の内側でかつ直前に展示物品（２）或いは平面状および立体状の広告（２１）を位置させる手段（３）を設けた３Ｄパネルディスプレイ。手段（３）は、棚（４）及び高さの異なる面（５１）を有する補助スタンド（５）で、選択的に展示物品に合わせて、展示物品（２）が３Ｄパネル（１）の縁取り部（１１）の奥に視認できるように展示できる。【選択図】 図１
0003125113.tif 000002
【実用新案登録請求の範囲】
【請求項１】
３Ｄパネル（１）をスタンド（３０）に載せた構成で、縁取り部（１１）が浮き上がって奥行きを視覚させる３Ｄパネル（１）のその縁取り部（１１）の内側でかつ直前に展示物品（２）を位置させる手段（３）を設けたことを特徴とする３Ｄパネルディスプレイ。
【請求項２】
前記３Ｄパネル（１）が、表面全体が凹型モアレ現象を生じる３Ｄシートであることを特徴とする請求項１に記載の３Ｄパネルディスプレイ。
【請求項３】
前記モアレ現象を生じる３Ｄパネル（１）は、シートの一側面に規則的凹凸によって形成される表面模様と、当該シートの他側面に微細に偏った規則的凹凸による裏面模様から構成され、縁取り部（１１）が浮き上がって少なくとも展示物品（２）を収納する奥行きを視覚させることを特徴とする請求項１〜請求項２のいずれかに記載の３Ｄパネルディスプレイ。
【請求項４】
前記の縁取り部（１１）の内側でかつ直前に展示物品（２）を位置させる手段（３）は、３Ｄパネル（１）載せたスタンド（３０）に設けた棚（４）或いはその棚（４）に置く補助スタンド（５）からなることを特徴とする請求項１〜請求項３のいずれかに記載の３Ｄパネルディスプレイ。
【請求項５】
前記の縁取り部（１１）の内側でかつ直前に展示物品（２）を位置させる手段（３）は、ピン（４１）或いはそのピン（４１）に連結した補助スタンド（５）からなることを特徴とする請求項１〜請求項３のいずれかに記載の３Ｄパネルディスプレイ。
【請求項６】
前記棚（４）は、中途に屈折部（３２）を設けた自立型兼用吊下げ型のスタンド（３０）に付設されており、スタンド（３０）は、前記屈折部（３２）及び止め具（３３）で開脚角度調整自在に構成され、前記補助スタンド（５）は棚（４）に載置されて使用されるもので自立しかつ展示物品（２）等を載置する高さのある面（５１）を１以上有する立体であることを特徴とする請求項１〜請求項４のいずれかに記載の３Ｄパネルディスプレイ。
【請求項７】
前記棚（４）と補助スタンド（５）は、透明材で作成されていることを特徴とする請求項１〜請求項６のいずれかに記載の３Ｄパネルディスプレイ。
【請求項８】
前記補助スタンド（５）は、側面視でコ状に屈折した透明薄板で、コ状の内部に偏った中間板を付設した立体等の複数の或いは任意の高さが選択できる構造であることを特徴とする請求項１〜請求項７のいずれかに記載の３Ｄパネルディスプレイ。
【考案の詳細な説明】
【技術分野】
【０００１】
本考案は、縁取り部が浮き上がって奥行きを視覚させる３Ｄ（バーチャル３次元立体）フレームに展示物を展示するための３Ｄパネルディスプレイに関する。
立体的に浮き出る３Ｄの縁取り部により、展示物は縁取り部の中で、奥行きのある空間に浮かんで観察できるものである。
【背景技術】
【０００２】
従来のフレーム付きディスプレイとしては、例えば額縁のように、肉厚のあるフレームで囲んで展示物を収めるディスプレイがあった。
【０００３】
上記従来のフレーム付きディスプレイは、いずれも肉厚の外枠やフレームで囲んで、その中に展示物を配置するものであるので、いわば縁の高い額縁に展示物を置いたに過ぎなかった。
【特許文献１】特開２００５−２８００９０号公報
【特許文献２】特開２００５−  ２５０９９号公報
【考案の開示】
【考案が解決しようとする課題】
【０００４】
本考案が解決しようとする課題は、奥行きの感じられる空間に展示物を浮かべて展示して、立体的、無重力で幻想的、宇宙的な雰囲気を醸し、看る人に驚きと注意を喚起することができる３Ｄパネルディスプレイを提供することである。
さらに本考案が解決しようとする課題は、奥行きの感じられる空間に展示物を浮かべる展示をするが、その展示物は単に置くだけでよく、したがって展示物を替えてさまざまな展示することができるようにすることである。
【課題を解決するための手段】
【０００５】
本考案の３Ｄパネルディスプレイは、３Ｄパネルをスタンドに載せた構成において、縁取り部が浮き上がって奥行きを視覚させる３Ｄパネルのその縁取り部の内側でかつ直前に展示物品（平面状および立体状の広告も含む）を位置させる手段を設けたことを特徴とするものである。
縁取り部の内側でかつ直前に展示物を位置させる手段を設けることで、３Ｄパネル
の奥行きあると視認される空間の中に展示物を配置できる。
【０００６】
３Ｄパネルは、凹型モアレ現象を生じる３Ｄシートであって、シートの一側面に規則的凹凸によって形成される表面模様（マイクロレンズ）と、当該シートの他側面に微細に偏った規則的凹凸による裏面模様から構成され、縁取り部が浮き上がって奥行きを視覚させる。
前記展示物等を縁取り部の内側でかつ直前に位置させる手段は、棚或いは棚及びその棚に置く補助スタンドである。
展示物を載置する前記棚は、中途に屈折部を設けた自立型兼用吊下げ型のスタンドに付設されており、スタンドは、前記屈折部及び止め具で開脚角度調整自在に構成され、棚には３Ｄパネルが立てられ、前記補助スタンドは棚に載置されて３Ｄパネルの前で使用されるもので自立しかつ展示物等を載置する高さのある面を１以上有する立体である。
前記棚と補助スタンドは、透明材で作成されている。
【０００７】
補助スタンドは、自立しかつ展示物等を載置する高さのある面を１以上有する立体であって、具体的には側面視でコ状に屈折した透明薄板で、コ状の内部に偏った中間板を付設したものである。
補助スタンドは、縦横自由に置き換えて展示物にあった高さのある面を選んで、展示物を載置して展示する工夫をしたものである。
【考案の効果】
【０００８】
本考案のディスプレイは、これに取り付けた３Ｄパネルによる立体的な縁取りにより、ディスプレイに置かれた展示物などが、この立体的な縁取り部に取り囲まれて幻想的な空間に浮いている雰囲気を醸し出すことができる。
なお、従来から３Ｄシートとして、モアレ現象と左右の視差を利用したものがあり、３Ｄシートに印刷することでその印刷面が浮き上がって或いは別模様の出現が視覚される凸型シートがあるが、その印象とは全く異なっている。
【考案を実施するための最良の形態】
【０００９】
図１、図２、図５、図６は、本考案の３Ｄパネルディスプレイの実施形態を示すものである。
図３、図４は、本考案の構成部品の補助スタンドを示す斜視図である。
図７は、金属製スタンドの斜視図、図８は紙製のスタンドの斜視図である。
図９は、構成部品の補助スタンドを備えたピンを示す斜視図である。
図１は実施例１、図２は実施例２、図５及び図６は実施例３を図示している。
図３、図４、図７、図８、図９は、実施例に示す構成部品を示している。
最良の形態は、３Ｄパネル（１）をスタンド（３０）に載せた構成で、縁取り部（１１）が浮き上がって奥行きを視覚させる３Ｄパネル（１）のその縁取り部（１１）の内側でかつ直前に展示物品（２）を位置させる手段（３）をスタンド（３０）に設けた形態である。
手段（３）は、棚（４）或いはその棚（４）に置く補助スタンド（５）であり、補助スタンド（５）は、複数の或いは任意の高さが選択できる構造であることが特徴である。
３Ｄパネル（１）は、スタンド（３０）に載せた構成でそれ自体で空間に位置するもので、さらに縁取り部（１１）が浮き上がって少なくとも展示物品（２）を収納する奥行きを視覚させる特性が不可決である。
つまり、地べたに置くディスプレイではなく、例えばショーケースの上に置いてもスタンドで少し高い位置になって、しかも深い立体感を有することが不可欠である。
地べたに置いた状態や縁取り部（１１）が浅い立体感では、展示物品（２）の空間浮遊感を視覚させないからである。
【実施例１】
【００１０】
図１は、実施例１であって、３Ｄパネル（１）をスタンド（３０）に載せた構成で、縁取り部（１１）が浮き上がって奥行きを視覚させる３Ｄパネル（１）のその縁取り部（１１）の内側でかつ直前に展示物品（２）或いは平面状および立体状の広告（２１）を位置させる手段（３）を設けたものである。
【００１１】
３Ｄパネル（１）は、モアレ現象を生じる３Ｄシートである。
前記モアレ現象を生じる３Ｄパネル（１）は、シートの一側面に規則的凹凸によって形成される表面模様と、当該シートの他側面に微細に偏った規則的凹凸による裏面模様から構成され、縁取り部（１１）が浮き上がって奥行きを視覚させる。
凹型の３Ｄシートであって、その縁取り部（１１）の浮き上がり具合は、少なくとも３Ｃｍ以上ある感覚である。
縁取り部（１１）が浮き上がって奥行きを視覚させるということは、縁取り部（１１）の後方に深い空間が存在するように視認されることである。
好ましくは５Ｃｍ以上の奥行きを感得させるのが、意表をついたおもしろさである。
【００１２】
前記の縁取り部（１１）の内側でかつ直前に展示物品（２）或いは平面状および立体状の広告（２１）を位置させる手段（３）は、３Ｄパネル（１）載せたスタンド（３０）に設けた棚（４）或いはその棚（４）に置く補助スタンド（５）から構成している。
【００１３】
前記棚（４）は、中途に屈折部（３２）を設けた自立型兼用吊下げ型のスタンド（３０）に付設されており、スタンド（３０）は、前記屈折部（３２）及び止め具（３３）で開脚角度調整自在に構成され、前記補助スタンド（５）は棚（４）に載置されて使用されるもので自立しかつ展示物（２）等を載置する高さのある面（５１）を１以上有する立体である。
補助スタンド（５）は、例えば図３、図４に示すように、側面視でコ状に屈折した透明薄板で、コ状の内部に偏った中間板（５２）を付設したものである。
補助スタンド（５）は、複数の或いは任意の高さが選択できる構造であることが必要であり、例えば単体の立方体や複数の立方体の組み合わせや、側面階段状の構造体、伸縮自在な多重筒体、蛇腹状立体などがある。
【００１４】
前記棚（４）と補助スタンド（５）は、透明材で作成されている。
展示物を、空間に浮くように表現するためである。
補助スタンド（５）は、半透明又は例えば人の手のひらの上に展示するような手のひらの模造品の形態の不透明素材でも差し支えない。
浮遊感のほかに、不思議感を醸し出せる。
【００１５】
上記３Ｄパネル（１）を作るシートは、透明合成樹脂板で、合成樹脂素材としては、アクリル系、ポリカーボネート系、ポリプロピレン系、ポリエステル系、ポリ塩化ビニル系である。模様や規則性凹凸が形成できれば素材は問わない。
シート板厚は０．５〜１８ｍｍ程度で、厚くするとモアレ現象形成に適し立体感に深みがでる。
実施例１ではＡ４版大の硬質シートで作成した。
【００１６】
前記３Ｄパネル（１）は、シートの一側面に規則的凹凸によって形成される表面模様と、当該シートの他側面に微細に偏った規則的凹凸による裏面模様（内面模様を含む）から構成され、模様は、細かな規則的な点・線・凹凸等で形成される。
モノクロや着色、発光塗料や着色半透明、模様や形状、点線混在、線の間隔、規則性ピッチ、平行線、水平や傾斜など、デザインは自在に可能である。
【００１７】
表面模様と、裏面模様とは、前者の模様形態と同じ或いは僅かに変化させたもので、しかも、この前者模様に対して僅かに偏って（ずれていること）形成されている。
【００１８】
自立型兼用吊下げ型のスタンド（３０）は、３Ｄパネル（１）を立てかけるもので、実施例１ではステンレス棒（金属製）をロの字状に曲げて２個作り、表裏２個のロの字状の一辺を連結して中途に屈折部（３２）を設け、表面側のロの字状の中途に棚（４）を直角に設けたものである。
スタンド（３０）は、前記屈折部（３２）及び止め具（３３）で開脚角度調整自在に構成される。
止め具（３３）は爪（３４）を適宜箇所に設けていて、スタンド（３０）の開脚幅を選択できるように構成している。止め具（３３）は、この構成に限定されるものではない。
止め具（３３）は、間隔を決めて止めるものであれば、構成は問わない。
又、屈折部（３２）にゴムワッシャを介在させて、任意に角度で維持固定する構成も採用できる。公知のヒンジ技術を利用できる。
スタンド（３０）は、金属製。合成樹脂製など適宜設計できる。
【実施例２】
【００１９】
図２の実施例２では、３Ｄパネル（１）の形状を上辺を屋根型にして、さらに前記金属製のスタンド（３０）の形状に相応するように、厚紙でスタンド（３０）を作成したものである。
３Ｄパネル（１）の形状は、実施例１や実施例２に限られるものではなく、丸や三角形などでも可能であり、スタンド（３０）の形状や構成も、３Ｄパネル（１）を取り付けられて且つ展示物（２０）を適宜位置に載置できる棚（４）と補助スタンド（５）があればその構成は実施例１・２に限られるものではない。
【００２０】
補助スタンド（５）は、前記のように棚（４）に載置されて使用されるもので自立しかつ展示物（２）等を載置する高さのある面（５１）を１以上有する立体である。
１以上という意味は、最低１面という意味であり、好ましくは高さ３ｃｍの面、高さ５ｃｍの面、高さ８ｃｍの面、高さ１０ｃｍの面、高さ１３ｃｍの面、というように、展示物品（２０）や或いは平面状および立体状の広告（２１）に対応できるように、多数の高さの異なる面（５１）を有する形態であることが好ましい。
図３、図４で示す補助スタンド（５）は、側面視でコ状に屈折した透明薄板で、コ状の内部に偏った中間板（５２）を付設したものである。
コ状の補助スタンド（５）を立てたり横にしたりして、面（５１）の高さを任意に選択できる。
【００２１】
実施例１・２の３Ｄパネルディスプレイは、以上のように構成されているので、３Ｄパネル１の縁取り部（１１）は表裏模様によりモアレ模様となって、縁取り部（１１）が手前に飛び出す状態に視認される。
縁取り部（１１）に立体感が生じ、この立体感により３Ｄパネル（１）の表面に置かれかつ縁取り部（１１）の内側に位置する展示物品（２０）は、フレームを感得させる縁取り部（１１）の中に入っていて、正面視では、中で浮いているような状態で視認される。
不思議な感覚であり、極めて効果的なディスプレイとなる。
展示物品（２）は、厚いフレーム（枠縁）の中に浮かんで視覚でき、高級感があり、よく目立つディスプレイとなる。
【００２２】
なお、前記の縁取り部（１１）の内側でかつ直前に展示物品（２）を位置させる手段（３）は、図９に示すようにピン（４１）或いはそのピン（４１）に連結した補助スタンド（５）から構成しても良い。
細いピン（４１）に３Ｄパネル（１）の中に位置する展示物品（２０）を付けてそのピン（４１）を３Ｄパネルに刺し立てて展示することができる軽量な展示物もある。
ピン（４１）に補助スタンド（５）を連結し、透明な補助スタンドで位置や向きを適宜設定して展示物を握持或いは載置して展示することができる。
図９に、補助スタンド（５）を付設したピン（４１）を例示するが、この場合の補助スタンド（５）は透明体の平板状である。この形状や色は、任意であり展示物品（２）によって選定できる。
【実施例３】
【００２３】
図５、図６は、上記３Ｄパネル（１）を、奥面と上下左右側面のある深さのあるケース（６）の内部に棚（４）を配置した実施例３を示すものである。
ケース（６）は、実施例１及び実施例２に示すスタンド（３０）に載置されて３Ｄパネルディスプレイとなる。
ケース（６）には透明蓋（６１）があり、補助スタンド（５）を置いて、その上に展示物品（２）を置き、埃よけ効果もある透明蓋（６１）をしたものである。
展示物品（２）は、ケース（６）の内部に浮いて展示される。
実施例３では、縁取り部（１１）の内側でかつ直前に展示物品（２）或いは平面状および立体状の広告（２１）を位置させる手段（３）は、補助スタンド（５）であるが、この手段（３）は、テグス糸を上面から吊り下げて展示物品を取り付けてもよく、透明ハンガー、透明ビニル袋（袋の中央に展示物品を置いて真空にして位置決めする）、透明棚でもよい。
【００２４】
以上の構成の実施例３は、透明蓋（６１）で閉塞することができ、人に触られないような展示ができる。
安全な展示を希望するときや、ホコリが多い箇所での展示などには向いている。
又、側面から見ることはできないので、錯覚視であることに気が付きにくい。
図示していないが、ケース（６）や３Ｄパネル（１）が透光性の場合など他の照明で、背後から色彩を替えて光と組み合わせることや、上縁にＬＥＤランプを装置するなどで、さらに精緻な演出が可能である。
【００２５】
広告文のような平面的な広告（２１）や、切り抜き文字のような立体的な広告（２１）
も、その３Ｄパネル（１）の縁取り部（１１）の内側に位置させれば、浮き上がった
縁取り部（１１）の奥の空間（立体的視認）に浮遊するので、種々のものを展示できる。
【産業上の利用可能性】
【００２６】
本考案では、例えば、携帯電話の展示、自動車の展示など、大小を問わず、立体的空間に浮かせた印象で展示できるものであり、人にあえて触らせるような展示形態、あえて蓋をして触られないような展示など、大小や展示場所に制約のないディスプレイができる。
場所をとらないで立体的に展示する印象ができるので、家庭での壁面での展示や、
一般店舗での常設展示、美術館や博覧会での展示など、広告分野で広く利用できる。
【図面の簡単な説明】
【００２７】
【図１】本考案の３Ｄパネルディスプレイの実施例１を示す斜視図である。
【図２】本考案の３Ｄパネルディスプレイの実施例２を示す正面図である。
【図３】本考案の構成部品の補助スタンドを示す斜視図である。
【図４】同じく本考案の構成部品の補助スタンドを示す斜視図である。
【図５】本考案の３Ｄパネルディスプレイの実施例３を示す正面図である。
【図６】本考案の３Ｄパネルディスプレイの実施例３を示す側面図である。
【図７】本考案の３Ｄパネルディスプレイの実施例１で用いたスタンドの斜視図である。
【図８】本考案の３Ｄパネルディスプレイの実施例２で用いた紙製のスタンドの斜視図である。
【図９】本考案の構成部品の補助スタンドを備えたピンを示す斜視図である。
【符号の説明】
【００２８】
１      ３Ｄパネル
１１    縁取り部（浮き上がって見える縁）
２      展示物品
２１    広告
３      載置する手段
３０    スタンド
３２    屈折部
３３    止め部
４      棚
４１    ピン
５      補助スタンド
５１    展示物品を載置する面（異なる高さの多数の面がある）
５２    中間板
６      ケース
【図１】
0003125113.tif 000003
【図２】
0003125113.tif 000004
【図３】
0003125113.tif 000005
【図４】
0003125113.tif 000006
【図５】
0003125113.tif 000007
【図６】
0003125113.tif 000008
【図７】
0003125113.tif 000009
【図８】
0003125113.tif 000010
【図９】
0003125113.tif 000011